(57)【要約】【課題】スピーカを筐体の異なる面（上下面、側面）に取り付けを変更することを可能にしつつも、デザイン性の喪失や製品サイズの肥大化を防ぎ、商品価値の低下を防ぐ。【解決手段】平面型表示装置１０は、画像を表示するための平面型の表示部２１が収容された略矩形の筐体２２と、略同一寸法の左チャンネル再生用スピーカ装置３１Ｌと右チャンネル再生用スピーカ装置３１Ｒとからなるステレオスピーカ装置３０と、を有し、左チャンネル再生用スピーカ装置３１Ｌと右チャンネル再生用スピーカ装置３１Ｒとが、筐体２２の上面２２Ｕまたは下面２２Ｄにその長手方向の側面を横一列して着脱自在、かつ、筐体２２の左右側面２２Ｌ，２２Ｒにその長手方向の側面をそれぞれ着脱自在に構成され、左チャンネル再生用スピーカ装置３１Ｌまたは右チャンネル再生用スピーカ装置３１Ｒの長手方向の長さが、筐体２２の長手方向の長さの半分以下とする。【選択図】        図５
2005033395.tif 000002
【特許請求の範囲】
【請求項１】
画像を表示するための平面型の表示部が収容された略矩形の筐体と、略同一寸法の左チャンネル再生用スピーカ装置と右チャンネル再生用スピーカ装置とからなるステレオスピーカ装置と、を有する平面型表示装置であって、
前記左チャンネル再生用スピーカ装置と右チャンネル再生用スピーカ装置とが、前記筐体の上面または下面にその長手方向の側面を横一列として着脱自在、かつ、前記筐体の左右側面にその長手方向の側面をそれぞれ着脱自在に構成され、
前記左チャンネル再生用スピーカ装置または右チャンネル再生用スピーカ装置の長手方向の長さが、前記筐体の長手方向の長さの半分以下であることを特徴とする平面型表示装置。
【請求項２】
前記筐体の長手方向の長さが短手方向の長さの略２倍であることを特徴とする請求項１に記載の平面型表示装置。
【請求項３】
前記表示部の横縦比が略１６：９であることを特徴とする請求項２に記載の平面型表示装置。
【請求項４】
前記筐体の下面または上面に、前記左チャンネル再生用スピーカ装置と右チャンネル再生用スピーカ装置とをその長手方向の側面が横一列となるように連結し、前記左チャンネル再生用スピーカ装置と前記筐体および右チャンネル再生用スピーカ装置と前記筐体をそれぞれ連結する取付部材を備えることを特徴とする請求項１〜請求項３のいずれかに記載の平面型表示装置。
【請求項５】
前記取付部材は、略Ｔ字形状の部材であり、
Ｔ字の横部を前記筐体に取付け、
前記横部から直角に曲げられた水平部を前記左チャンネル再生用スピーカ装置および右チャンネル再生用スピーカ装置に取付け、
Ｔ字の縦部を前記左チャンネル再生用スピーカ装置および右チャンネル再生用スピーカ装置の中央側側面を連続的に締結することを特徴とする請求項４に記載した平面型表示装置。
【発明の詳細な説明】
【０００１】
【発明の属する技術分野】
本発明は、平面型表示装置に関する。
【０００２】
【従来の技術】
近年、ＰＤＰ（プラズマディスプレイパネル）、有機ＥＬディスプレイパネル、液晶ディスプレイパネルなどの薄型の表示パネルを用いた平面型表示装置の開発が活発化している。
このような平面型表示装置は、家庭などで使用されるＡＶ機器の中核として、テレビやビデオ等の表示装置として用いられている。また、ＡＶ機器はステレオやマルチチャンネルの音声再生が必須となってきており、高音質のスピーカが求められているが、スピーカ設置スペースを省略するために、表示装置の筐体に左右一対のステレオスピーカを取り付けることが多い。
【０００３】
以下、ＣＲＴ表示装置の筐体にステレオスピーカ（左チャンネル再生用スピーカ装置および右チャンネル再生用スピーカ装置）を取り付けた従来例を挙げ説明する。図１は、画面表示部の左右両側面にそれぞれスピーカを取り付けたテレビジョン受像機を示す図である（例えば、特許文献１参照）。また、図２は、下面にステレオスピーカが取付けられたビデオモニタを示す図である（例えば、特許文献２参照）。
【０００４】
図１に示すテレビジョン受像機１００は、テレビジョン受像機本体１０１に着脱自在に構成された左右のスピーカ１０２Ｌ，１０２Ｒを配置したものであり、筐体の異なった２面１０３ａ、１０３ｂのそれぞれに、高音用スピーカユニット１０４Ｌ，１０５Ｌまたは１０４Ｒ、１０５Ｒを配置し、高音用スピーカユニットが配置された２面の内の一方の面１０３ａに比較的低音域の再生を行う低音用スピーカユニット１０６Ｌ，１０６Ｒを配置したものである。
【０００５】
また、図２に示すビデオモニタ１１０は、スピーカ１１１、１１１を収納するケース１１２の上面に係合部材１１３，１１３を突設してある。ケース１１２は、係合部材１１３，１１３をビデオモニタ１１０の下面に形成する係合孔に係合させることにより、スタンド１１４との間のデッドスーペースを利用してビデオモニタ１１０に着脱自在に装着することができる。
【０００６】
【特許文献１】
特開平６−１０５２５７号公報（第２，３頁、第１図）
【特許文献２】
特開平９−３７３７２号公報（第２，３頁、第１図）
【０００７】
【発明が解決しようとする課題】
平面型表示装置の場合も、その筐体に左右一対のステレオスピーカを取り付けたものは、前述した図１に示すように、表示画面の左右両側にスピーカを設けるものと、図２に示すように表示画面の下側にスピーカを設けるものとがある。
それらは、筐体の上下面や側面の予め決められた位置に取り付けるように設定されており、異なる面（上下面、側面）に取り付けを変更することはできない。
【０００８】
勿論、スピーカの形状や平面型表示装置の筐体１２０の支持方法に制約がなければ、例えば、図３（Ａ）、（Ｂ）に示すように、比較的小型のスピーカを設置した例や、図４（Ａ）、（Ｂ）に示すように、左右に配置したときに筐体の高さとスピーカの高さを揃えるようにすれば、筐体１２０の側面あるいは下面にスピーカ１２１を設置することは比較的容易に行うことができる。
【０００９】
しかしながら、スピーカ１２１を含む製品シルエットがいびつになり、デザイン性が失われ、全体の製品サイズが肥大化する。また、平面型表示装置の持つ薄型大画面という機能に対して、製品の一体感、薄型感、製品サイズに対する画面サイズの占める割合の低下や、設置環境の自由度の低下等が生じ商品価値が著しく低下するという問題がある。
【００１０】
本発明が解決しようとする課題には、上述した従来技術において生じているスピーカを筐体の異なる面（上下面、側面）に取り付けを変更することを可能にしつつも、デザイン性の喪失や製品サイズの肥大化を防ぎ、上記のような商品価値の低下を防ぐようにすることが一例として挙げられる。
【００１１】
【課題を解決するための手段】
請求項１に記載した発明は、画像を表示するための平面型の表示部が収容された略矩形の筐体と、略同一寸法の左チャンネル再生用スピーカ装置と右チャンネル再生用スピーカ装置とからなるステレオスピーカ装置と、を有する平面型表示装置であって、前記左チャンネル再生用スピーカ装置と右チャンネル再生用スピーカ装置とが、前記筐体の上面または下面にその長手方向の側面を横一列として着脱自在、かつ、前記筐体の左右側面にその長手方向の側面をそれぞれ着脱自在に構成され、前記左チャンネル再生用スピーカ装置または右チャンネル再生用スピーカ装置の長手方向の長さが、前記筐体の長手方向の長さの半分以下であることを特徴とする。
【００１２】
【発明の実施の形態】
以下、図面に基づいて本発明の好適な実施の形態に係る平面型表示装置を詳細に説明する。
図５は本実施の形態に係る平面型表示装置の正面図であり、（Ａ）は筐体の下面にステレオスピーカ装置を取り付けた場合、（Ｂ）は筐体の左右側面にステレオスピーカ装置を取り付けた場合である。
【００１３】
図５に示すように、平面型表示装置１０は、画像を表示するための平面型の表示部２１が収容された略矩形の筐体２２と、略同一寸法の左チャンネル再生用スピーカ装置３１Ｌと右チャンネル再生用スピーカ装置３１Ｒとからなるステレオスピーカ装置３０と、を有する。
【００１４】
表示部２１としては、ＰＤＰ（プラズマディスプレイパネル）や有機ＥＬディスプレイパネル、液晶ディスプレイパネルなどが挙げられる。この表示部２１はその周囲を前面枠２０に囲まれ、背面はリアカバー２３（図６参照）で覆われて、正面から見て矩形の筐体２２に収容されている。
【００１５】
また、左チャンネル再生用スピーカ装置３１Ｌおよび右チャンネル再生用スピーカ装置３１Ｒは、それぞれ高音域のスピーカユニットおよび低音域のスピーカユニットあるいはフルレンジのスピーカユニット等が適宜設けられて構成されたものである。
【００１６】
筐体２２の寸法は、長手方向（横方向）の長さ（幅）がＬ０、短手方向（縦方向）の長さ（高さ）がＨであり、左チャンネル再生用スピーカ装置３１Ｌおよび右チャンネル再生用スピーカ装置３１Ｒの長手方向の長さはＬ１である。そして、この長さＬ１は、筐体２２の幅Ｌ０の２分の１以下である。なお、図５（Ａ）では、上記Ｌ１が、Ｌ０の２分の１の場合を示している。
【００１７】
したがって、左チャンネル再生用スピーカ装置３１Ｌおよび右チャンネル再生用スピーカ装置３１Ｒを筐体２２の下面２２Ｄに取付けると、図５（Ａ）に示すように、ステレオスピーカ装置３０は筐体２２から左右に突出しない。
【００１８】
一方、図５（Ｂ）には、左チャンネル再生用スピーカ装置３１Ｌおよび右チャンネル再生用スピーカ装置３１Ｒをそれぞれ筐体２２の左右の側面２２Ｌ，２２Ｒに取付けた場合が示されている。
【００１９】
通常、平面型表示装置１０に採用される画面は、ワイドビジョンやハイビジョンであり、画面のアスペクト比（横縦比）は１６：９である。そして、周囲を囲む前面枠２０を含めれば、筐体２２の横縦比は略２：１となる。
【００２０】
このとき、筐体２２の高さＨは、幅Ｌ０の半分よりも若干大きめとなり、左チャンネル再生用スピーカ装置３１Ｌおよび右チャンネル再生用スピーカ装置３１Ｒの上下面と筐体２２の上下面との間に空間３２ができるが、製品としての一体感が損なわれる程ではない。
【００２１】
本実施の形態の平面型表示装置１０に対するステレオスピーカ装置３０の取付けは、筐体の上下面２２Ｕ，２２Ｄの少なくとも一面と、筐体２２の両側面２２Ｌ，２２Ｒに対して着脱自在となっている。
【００２２】
したがって、左チャンネル再生用スピーカ装置３１Ｌおよび右チャンネル再生用スピーカ装置３１Ｒをそれぞれ筐体２２の側面２２Ｌ，２２Ｒに取付けることもできるし、筐体２２の上面２２Ｕまたは下面２２Ｄのいずれかに、横一列として取付けることもできる。
【００２３】
なお、ステレオスピーカ装置３０は、その背面方向への奥行きをできるだけ短くし、装置背面のリアカバー２３よりも出っ張らないようにしたり、短辺方向をできるだけ短くしたりすることが望ましい。これにより、平面型表示装置１０の薄型化、小型化をより一層促進することができる。
【００２４】
次に、平面型表示装置１０に対するステレオスピーカ装置３０の具体的な取り付け構造について図６〜図１０を用いて説明する。
図６は、ステレオスピーカ装置３０を筐体２２の側面２２Ｌ，２２Ｒに取付けた状態を示す図であり、（Ａ）は背面図、（Ｂ）は側面図、（Ｃ）は平面図である。図７は、取付けに使用される取付金具を示す図であり、（Ａ）は平面図、（Ｂ）は正面図、（Ｃ）は側面図である。
【００２５】
図６（Ａ）〜図６（Ｃ）に示すように、平面型表示装置１０の筐体２２の左右両側面２２Ｌ，２２Ｒに、左チャンネル再生用スピーカ装置３１Ｌおよび右チャンネル再生用スピーカ装置３１Ｒが取付部材である取付金具４０を介して、ねじにより各々着脱自在に取付けられている。また、平面型表示装置１０の背面にはリアカバー２３が取り付けられている。
【００２６】
取付金具４０は、図７（Ａ）〜図７（Ｃ）に示すように、筐体２２に取付けられる筐体取付部４１と、左チャンネル再生用スピーカ装置３１Ｌおよび右チャンネル再生用スピーカ装置３１Ｒに取付けられるスピーカ取付部４２とを有している。
【００２７】
筐体取付部４１およびスピーカ取付部４２には取付ねじ用の貫通孔４４が設けられており、この貫通孔４４からねじを通して、筐体２２に設けられているねじ孔に締め付けることにより左チャンネル再生用スピーカ装置３１Ｌおよび右チャンネル再生用スピーカ装置３１Ｒを着脱自在に取付けている。
【００２８】
また、筐体取付部４１、４２の間には、筐体取付部４１とスピーカ取付部４２との高さの差を調整するアーム部４３が設けられている。このアーム部４３の長さにより、左チャンネル再生用スピーカ装置３１Ｌおよび右チャンネル再生用スピーカ装置３１Ｒの表面を、表示部２１の表面の位置（前後方向）に近づけたり、同一面上とすることができる。
【００２９】
図８は、ステレオスピーカ装置３０を筐体２２の下面２２Ｄに並べて同一平面上に取付けた状態を示す図であり、（Ａ）は背面図、（Ｂ）は側面図、（Ｃ）は底面図である。
図９は、中央の取付け部分において使用される取付金具を示す図であり、（Ａ）は平面図、（Ｂ）は正面図、（Ｃ）は側面図である。図１０は、左右両端部の取付け部分において使用される取付金具を示す図であり、（Ａ）は平面図、（Ｂ）は正面図、（Ｃ）は側面図である。
【００３０】
図８（Ａ）〜図８（Ｃ）に示すように、平面型表示装置１０の筐体２２の下面２２Ｄに、左チャンネル再生用スピーカ装置３１Ｌおよび右チャンネル再生用スピーカ装置３１Ｒが取付金具５０Ａ、５０Ｂおよびねじを介して着脱自在に取付けられている。
【００３１】
なお、ここでは、左チャンネル再生用スピーカ装置３１Ｌおよび右チャンネル再生用スピーカ装置３１Ｒの長手方向の長さＬ１が、筐体２２の長手方向長さＬ０の２分の１である場合について示してある。
【００３２】
取付金具５０Ａは、図９（Ａ）〜（Ｃ）に示すように略Ｔ字の形状をしており、筐体２２に取付けられるＴ字の横部５１と、左チャンネル再生用スピーカ装置３１Ｌおよび右チャンネル再生用スピーカ装置３１Ｒの中央側側面を連続的に締結するＴ字の縦部５２とを有している。
【００３３】
さらに、横部５１から直角に突出して曲げられ、左チャンネル再生用スピーカ装置３１Ｌおよび右チャンネル再生用スピーカ装置３１Ｒの上面に取付けられる水平部５３を有している。
【００３４】
横部５１にはねじ用の貫通孔５１ａが複数個設けられており、この貫通孔５１ａからねじを通して、筐体２２に設けられているねじ孔に締め付ける。
【００３５】
また、縦部５２には縦に２列の貫通孔５２ａが設けられており、各列の貫通孔５２ａに通されたねじは、左チャンネル再生用スピーカ装置３１Ｌおよび右チャンネル再生用スピーカ装置３１Ｒの裏面中央側端部に設けられているねじ孔に締め付けられる。
【００３６】
また、水平部５３にも貫通孔５３ａが設けられており、この貫通孔５３ａに通したねじを、左チャンネル再生用スピーカ装置３１Ｌおよび右チャンネル再生用スピーカ装置３１Ｒの裏面中央側端部に設けられているねじ孔に締め付ける。
【００３７】
これにより、左チャンネル再生用スピーカ装置３１Ｌおよび右チャンネル再生用スピーカ装置３１Ｒの中央部が、筐体２２の下面２２Ｄに着脱自在に取り付けられることになる。
【００３８】
一方、取付金具５０Ｂは、図１０（Ａ）〜図１０（Ｃ）に示すようにクランク形状をしており、筐体２２に取付けられる筐体取付部５５と、左チャンネル再生用スピーカ装置３１Ｌおよび右チャンネル再生用スピーカ装置３１Ｒの外側端部に取付けられるスピーカ取付部５５を有している。
【００３９】
筐体取付部５４とスピーカ取付部５５との間には、筐体２２の背面と左チャンネル再生用スピーカ装置３１Ｌおよび右チャンネル再生用スピーカ装置３１Ｒの背面との段差を吸収するためのアーム部５６が設けられている。
【００４０】
これにより、左チャンネル再生用スピーカ装置３１Ｌおよび右チャンネル再生用スピーカ装置３１Ｒの表面と表示部２１の表面をほぼ同一平面上とすることができる。
【００４１】
筐体取付部５４にはねじ用の貫通孔５４ａが設けられており、この貫通孔５４ａからねじを通して、筐体２２に設けられているねじ孔に締め付ける。
【００４２】
また、スピーカ取付部５５にも貫通孔５５ａが設けられており、この貫通孔５５ａに通されたねじは左チャンネル再生用スピーカ装置３１Ｌおよび右チャンネル再生用スピーカ装置３１Ｒの上面に設けられているねじ孔に締め付けられる。
【００４３】
これにより、左チャンネル再生用スピーカ装置３１Ｌおよび右チャンネル再生用スピーカ装置３１Ｒの外側端部が、筐体２２の下面２２Ｄに着脱自在に取り付けられることになる。
【００４４】
以上、説明した平面型表示装置１０では、左チャンネル再生用スピーカ装置３１Ｌおよび右チャンネル再生用スピーカ装置３１Ｒは、取付金具４０を用いて筐体２２の側面２２Ｌ，２２Ｒに、あるいは、取付金具５０Ａ、５０Ｂを用いて筐体２２の下面２２Ｄに着脱自在に取付け可能となっている。
【００４５】
このため、取付金具４０、５０Ａ、５０Ｂを交換するだけで、側面２２Ｌ，２２Ｒあるいは下面２２Ｄのいずれにも取付けることができ、ユーザーが設置スペースやデザインに合わせて自由に選択することができる。これにより、商品性を損なわずにスピーカレイアウトの自由度を増すことができる。
【００４６】
なお、本発明の平面型表示装置１０は、前述した実施の形態に限定されるものでなく、適宜な変形、改良等が可能である。
【００４７】
例えば、前述した実施の形態では、ステレオスピーカ装置３０を筐体２２の側面２２Ｌ，２２Ｒ、あるいは下面２２Ｄに取付ける場合について説明したが、筐体２２の上面２２Ｕに取付けることも可能である。
【００４８】
また、筐体２２の高さＨが筐体２２の幅Ｌ０の２分の１よりも小さい場合において、筐体２２の側面にステレオスピーカ装置３０を取付けた場合には、図１１（Ａ）、図１１（Ｂ）に示すように、左チャンネル再生用スピーカ装置３１Ｌおよび右チャンネル再生用スピーカ装置３１Ｒの上下に空間ができる。
【００４９】
そこで、左チャンネル再生用スピーカ装置３１Ｌおよび右チャンネル再生用スピーカ装置３１Ｒの上下（図１１（Ａ））や下（図１１（Ｂ）、勿論、上でもよい）にスペーサ４５を配置することにより、左チャンネル再生用スピーカ装置３１Ｌおよび右チャンネル再生用スピーカ装置３１Ｒの高さを筐体２２の高さに合わせることができる。これにより、製品全体のシルエットをすっきりさせて、見栄えを一層良くすることができる。
さらに、このスペーサ４５にはスピーカコードの収納機能や、リモコンなどの付属品のホルダーなどの機能を持たせてもよい。
【００５０】
以上詳述したように、本実施の形態に係る平面型表示装置１０は、画像を表示するための平面型の表示部２１が収容された略矩形の筐体２２と、略同一寸法の左チャンネル再生用スピーカ装置３１Ｌと右チャンネル再生用スピーカ装置３１Ｒとからなるステレオスピーカ装置３０と、を有する。
【００５１】
そして、左チャンネル再生用スピーカ装置３１Ｌと右チャンネル再生用スピーカ装置３１Ｒとが、筐体２２の上面２２Ｕまたは下面２２Ｄにその長手方向の側面を横一列して着脱自在、かつ、筐体２２の左右側面２２Ｌ，２２Ｒにその長手方向の側面をそれぞれ着脱自在に構成され、左チャンネル再生用スピーカ装置３１Ｌまたは右チャンネル再生用スピーカ装置３１Ｒの長手方向の長さが、筐体２２の長手方向の長さの半分以下である。
【００５２】
これにより、ステレオスピーカ装置３０を筐体２２の異なる面（上下面、側面）に取り付けを変更することを可能にしつつも、デザイン性の喪失や製品サイズの肥大化を防ぎ、平面型表示装置１０の持つ薄型大画面という機能に対して、製品の一体感、薄型感、製品サイズに対する画面サイズの占める割合の低下や、設置環境の自由度の低下等が生じ商品価値が著しく低下するという問題点を解決することができる。
【図面の簡単な説明】
【図１】画面表示部の左右両側面にそれぞれスピーカを取り付けた従来のテレビジョン受像機を示す図である。
【図２】下面にステレオスピーカが取付けられた従来のビデオモニタを示す図である。
【図３】従来例の平面型表示装置において側面にスピーカを設置した状態を示す正面図（Ａ）、下面にスピーカを設置した状態を示す正面図（Ｂ）である。
【図４】従来例の平面型表示装置において側面にスピーカを設置した状態を示す正面図（Ａ）、下面にスピーカを設置した状態を示す正面図（Ｂ）である。
【図５】本実施の形態に係る平面型表示装置の正面図であり、（Ａ）は筐体の下面にステレオスピーカ装置を取り付けた場合、（Ｂ）は筐体の左右側面にステレオスピーカ装置を取り付けた場合である。
【図６】本実施の形態に係る平面型表示装置のステレオスピーカ装置を筐体の側面に取付けた状態を示す図であり、（Ａ）は背面図、（Ｂ）は側面図、（Ｃ）は平面図である。
【図７】図６の取付けに使用される取付金具を示す図であり、（Ａ）は平面図、（Ｂ）は正面図、（Ｃ）は側面図である。
【図８】本実施の形態に係る平面型表示装置のステレオスピーカ装置を筐体の下面に並べて同一平面上に取付けた状態を示す図であり、（Ａ）は背面図、（Ｂ）は側面図、（Ｃ）は底面図である。
【図９】図８の中央の取付け部分において使用される取付金具を示す図であり、（Ａ）は平面図、（Ｂ）は正面図、（Ｃ）は側面図である。
【図１０】図８の左右両端部の取付け部分において使用される取付金具を示す図であり、（Ａ）は平面図、（Ｂ）は正面図、（Ｃ）は側面図である。
【図１１】筐体の側面にステレオスピーカ装置を取付けた場合に、上下にできる空間にスペーサを配置した正面図（Ａ）、（Ｂ）である。
【符号の説明】
１０  平面型表示装置
２１  表示部
２２  筐体
２２Ｕ  筐体２２の上面
２２Ｄ  筐体２２の下面
２２Ｌ  筐体２２の左側面
２２Ｒ  筐体２２の右側面
３０  ステレオスピーカ装置
３１Ｌ  左チャンネル再生用スピーカ装置
３１Ｒ  右チャンネル再生用スピーカ装置
４０、５０Ａ、５０Ｂ  取付金具（取付部材）
５１  取付金具の横部
５２  取付金具の縦部
５３  取付金具の水平部
Ｌ０  筐体２２の長手方向の長さ（幅）
Ｌ１  左チャンネル再生用スピーカ装置３１Ｌおよび右チャンネル再生用スピーカ装置３１Ｒの長手方向の長さ
【図１】
2005033395.tif 000003
【図２】
2005033395.tif 000004
【図３】
2005033395.tif 000005
【図４】
2005033395.tif 000006
【図５】
2005033395.tif 000007
【図６】
2005033395.tif 000008
【図７】
2005033395.tif 000009
【図８】
2005033395.tif 000010
【図９】
2005033395.tif 000011
【図１０】
2005033395.tif 000012
【図１１】
2005033395.tif 000013